(57)【要約】【課題】弱視者や高齢者その他の視力が弱い者が簡単な操作で目の負担を軽減できしかも電子文書の情報から重要な部分や興味のある部分を効率的に見つけ出してその内容を十分把握できるようにする。【解決手段】開示されるウエッブページの表示方法は、見出しと複数の文とからなる段落を有する電子文書を設定された倍率により拡大する拡大処理と、設定された要約方法により電子文書から一部の見出しや一部の段落、あるいは各段落を構成する一部の文を除去することにより電子文書を要約する要約処理と、拡大処理及び要約処理がなされた電子文書を表示する表示処理とを有している。【選択図】　　　図１
2004102553.tif 000002
【特許請求の範囲】
【請求項１】
見出しと複数の文とからなる段落を有する電子文書を設定された倍率により拡大する拡大処理と、
設定された要約方法により前記電子文書から一部の前記見出しや一部の前記段落、あるいは前記段落を構成する一部の前記文を除去することにより前記電子文書を要約する要約処理と、
前記拡大処理及び前記要約処理がなされた前記電子文書を表示する表示処理と
を有することを特徴とする電子文書表示方法。
【請求項２】
前記見出しは、ファイルやデータの一部につけ加える属性情報であるタグ、あるひとまとまりの文字ブロックの先頭にあり、体言止めとなっているもの、指定することによりリンクが可能となっているもの、書式や文字サイズが他の文章と異なっているもの、先頭に数字とピリオド又は空白があるもののいずれかからなることを特徴とする請求項１記載の電子文書表示方法。
【請求項３】
前記要約処理では、前記倍率に応じて前記要約後の前記電子文書の文字数を変更することを特徴とする請求項１又は２記載の電子文書表示方法。
【請求項４】
前記要約処理は、
前記電子文書の文章構造を解析し、設定された規則に基づいて前記電子文書から表示情報を抽出する第１のステップと、
前記表示情報に基づいて、前記電子文書を再構成する第２のステップとからなることを特徴とする請求項１乃至３のいずれか１に記載の電子文書表示方法。
【請求項５】
前記要約処理では、前記要約後の前記電子文書、前記見出し、前記文の少なくとも１つの近傍に、前記要約前の前記電子文書全体や前記段落全文を表示することを指示するための全文表示マークを付加し、
前記表示処理は、前記全文表示マークの指定に応じて、前記要約前の前記電子文書全体や対応する前記段落全文を表示する全文表示処理を有することを特徴とする請求項１乃至４のいずれか１に記載の電子文書表示方法。
【請求項６】
前記要約処理では、前記要約後の前記電子文書の最初や前記見出し、前記文の後に前記全文表示マークを付加することを特徴とする請求項５記載の電子文書表示方法。
【請求項７】
前記全文表示処理では、前記全文表示マークの指定に応じて、前記電子文書全体や対応する前記段落全文を元の文字サイズで表示することを特徴とする請求項５又は６記載の電子文書表示方法。
【請求項８】
前記要約処理では、前記要約後の前記電子文書、前記見出し、前記文の少なくとも１つの近傍に、前記電子文書や前記段落の要約方法の順次変更を指示するための要約変更マークを付加し、
前記表示処理は、前記要約変更マークの指定に応じて、所定の順序で前記電子文書や前記段落の要約方法を順次変更して表示する要約変更表示処理を有することを特徴とする請求項１乃至７のいずれか１に記載の電子文書表示方法。
【請求項９】
前記要約変更表示処理では、
前記電子文書の近傍に付加された前記要約変更マークが指定されるごとに、前記電子文書を構成する前記見出しのすべて、前記見出しのすべてと前記段落の最初の１文、前記見出しのすべてと前記段落の最初の２文、前記見出しのすべてと前記段落の最初の３文、前記見出しのすべてと前記段落のすべての文、前記見出しのすべてとを順次切り換えて表示し、
前記見出しや前記文の近傍に付加された前記要約変更マークが指定されるごとに、前記見出し、前記見出しと最初の１文、前記見出しと最初の２文、前記見出しと最初の３文、前記見出しとすべての文、前記見出しとを順次切り換えて表示することを特徴とする請求項８記載の電子文書表示方法。
【請求項１０】
前記要約処理では、前記要約後の前記電子文書の最初や前記見出し、前記文の後に前記要約変更マークを付加することを特徴とする請求項８又は９記載の電子文書表示方法。
【請求項１１】
前記表示処理は、前記要約後の前記電子文書全体、前記見出し、前記文の指定に応じて、前記要約前の前記電子文書全体や対応する前記段落全文を表示する全文表示処理を有することを特徴とする請求項１、２、３、４、８、９又は１０のいずれか１に記載の電子文書表示方法。
【請求項１２】
前記全文表示処理では、前記要約後の前記電子文書全体、前記見出し、前記文の指定に応じて、前記電子文書全体や対応する前記段落全文を元の文字サイズで表示することを特徴とする請求項１１記載の電子文書表示方法。
【請求項１３】
前記表示処理は、前記要約後の前記電子文書全体、前記見出し、前記文の指定に応じて、所定の順序で前記電子文書や前記段落の要約方法を順次変更して表示する要約変更表示処理を有することを特徴とする請求項１、２、３、４、５、６、７、１１又は１２のいずれか１に記載の電子文書表示方法。
【請求項１４】
前記要約変更表示処理では、
前記電子文書全体が指定されるごとに、前記電子文書を構成する前記見出しのすべて、前記見出しのすべてと前記段落の最初の１文、前記見出しのすべてと前記段落の最初の２文、前記見出しのすべてと前記段落の最初の３文、前記見出しのすべてと前記段落のすべての文、前記見出しのすべてとを順次切り換えて表示し、
前記見出しや前記文が指定されるごとに、前記見出し、前記見出しと最初の１文、前記見出しと最初の２文、前記見出しと最初の３文、前記見出しとすべての文、前記見出しとを順次切り換えて表示することを特徴とする請求項１３記載の電子文書表示方法。
【請求項１５】
前記表示処理、前記全文表示処理、前記要約変更表示処理では、設定又は操作部の操作に応じて、前記見出し及び前記文は、背景が黒、文字が黄色で表示することを特徴とする請求項１乃至１４のいずれか１に記載の電子文書表示方法。
【請求項１６】
前記表示処理、前記全文表示処理、前記要約変更表示処理では、設定又は操作部の操作に応じて、前記見出し及び前記文は、文字のすべての部分がほぼ同じ太さで構成される書体で表示することを特徴とする請求項１乃至１５のいずれか１に記載の電子文書表示方法。
【請求項１７】
前記表示処理、前記全文表示処理、前記要約変更表示処理では、前記要約後の前記電子文書のうち、設定された拡大方法により選択された前記見出しや前記文を設定された倍率により拡大して表示することを特徴とする請求項１乃至１６のいずれか１に記載の電子文書表示方法。
【請求項１８】
前記表示処理、前記全文表示処理、前記要約変更表示処理では、メニューを構成するコマンドボタン、ダイアログボックス又はボタンが指定された場合には、所定の倍率で前記コマンドボタン、前記ダイアログボックス又は前記ボタンが設定された倍率で拡大して表示することを特徴とする請求項１乃至１７のいずれか１に記載の電子文書表示方法。
【請求項１９】
前記指定は、操作部の操作により表示画面に表示されたカーソルやポインタが前記見出し、前記全文表示マーク、前記要約変更マーク、前記電子文書全体、前記文、前記コマンドボタン、前記ダイアログボックス、前記ボタンの各上に移動された後、前記操作部が操作されることにより認識し、又は、前記操作部の操作により表示画面上に表示されたカーソルやポインタが前記見出し、前記全文表示マーク、前記要約変更マーク、前記電子文書全体、前記文、前記コマンドボタン、前記ダイアログボックス、前記ボタンの各上に移動された後、前記カーソルや前記ポインタが所定時間当該個所に保持されていることを検出することにより認識することを特徴とする請求項２乃至１８のいずれか１に記載の電子文書表示方法。
【請求項２０】
各ユーザにより入力された個人情報に基づいて、各前記ユーザごとに、前記倍率や前記要約方法、前記要約方法、前記コマンドボタン、前記ダイアログボックス、前記ボタンの倍率、前記見出し及び前記文の背景や文字色が設定されることを特徴とする請求項１乃至１９のいずれか１に記載の電子文書表示方法。
【請求項２１】
前記個人情報は、前記ユーザの生年月日、性別、矯正視力や医学的診断による症状であることを特徴とする請求項２０記載の電子文書表示方法。
【請求項２２】
前記電子文書表示を開始してから所定時間が経過した場合には、その旨を警告し、必要に応じて前記電子文書表示を一時中断又は前記倍率を変更することを特徴とする請求項１乃至２１のいずれか１に記載の電子文書表示方法。
【請求項２３】
前記ユーザの目の瞬き回数が所定回数以上である場合には、その旨を警告し、必要に応じて前記電子文書表示を一時中断又は前記倍率を変更することを特徴とする請求項１乃至２２のいずれか１に記載の電子文書表示方法。
【請求項２４】
前記ユーザの目近傍の明るさが所定値以下である場合には、その旨を警告し、必要に応じて前記電子文書表示を一時中断又は前記倍率を変更することを特徴とする請求項１乃至２３のいずれか１に記載の電子文書表示方法。
【請求項２５】
表示画面と前記ユーザの目との距離が所定値以下である場合には、その旨を警告し、必要に応じて前記倍率を変更し又は前記電子文書表示を一時中断することを特徴とする請求項１乃至１４のいずれか１に記載の電子文書表示方法。
【請求項２６】
コンピュータに請求項１乃至２５のいずれか１に記載の機能を実現させるための電子文書表示プログラム。
【請求項２７】
見出しと複数の文とからなる段落を有する電子文書を設定された倍率により拡大するとともに、設定された要約方法により前記電子文書から一部の前記見出しや一部の前記段落、あるいは前記段落を構成する一部の前記文を除去することにより前記電子文書を要約し、前記拡大及び前記要約がなされた前記電子文書を表示する制御部を備えてなることを特徴とする電子文書表示装置。
【請求項２８】
前記見出しは、ファイルやデータの一部につけ加える属性情報であるタグ、あるひとまとまりの文字ブロックの先頭にあり、体言止めとなっているもの、指定することによりリンクが可能となっているもの、書式や文字サイズが他の文章と異なっているもの、先頭に数字とピリオド又は空白があるもののいずれかからなることを特徴とする請求項２７記載の電子文書表示装置。
【請求項２９】
前記制御部は、前記倍率に応じて前記要約後の前記電子文書の文字数を変更することを特徴とする請求項２７又は２８記載の電子文書表示装置。
【請求項３０】
前記制御部は、前記電子文書の文章構造を解析し、設定された規則に基づいて前記電子文書から表示情報を抽出した後、前記表示情報に基づいて、前記電子文書を再構成して前記要約を行うことを特徴とする請求項２７乃至２９のいずれか１に記載の電子文書表示装置。
【請求項３１】
前記制御部は、前記要約後の前記電子文書、前記見出し、前記文の少なくとも１つの近傍に、前記要約前の前記電子文書全体や前記段落全文を表示することを指示するための全文表示マークを付加し、前記全文表示マークの指定に応じて、前記要約前の前記電子文書全体や対応する前記段落全文を表示することを特徴とする請求項２７乃至３１のいずれか１に記載の電子文書表示装置。
【請求項３２】
前記制御部は、前記要約後の前記電子文書の最初や前記見出し、前記文の後に前記全文表示マークを付加することを特徴とする請求項３１記載の電子文書表示装置。
【請求項３３】
前記制御部は、前記全文表示マークの指定に応じて、前記電子文書全体や対応する前記段落全文を元の文字サイズで表示することを特徴とする請求項３１又は３２記載の電子文書表示装置。
【請求項３４】
前記制御部は、前記要約後の前記電子文書、前記見出し、前記文の少なくとも１つの近傍に、前記電子文書や前記段落の要約方法の順次変更を指示するための要約変更マークを付加し、前記要約変更マークの指定に応じて、所定の順序で前記電子文書や前記段落の要約方法を順次変更して表示することを特徴とする請求項２７乃至３３のいずれか１に記載の電子文書表示装置。
【請求項３５】
前記制御部は、前記電子文書の近傍に付加された前記要約変更マークが指定されるごとに、前記電子文書を構成する前記見出しのすべて、前記見出しのすべてと前記段落の最初の１文、前記見出しのすべてと前記段落の最初の２文、前記見出しのすべてと前記段落の最初の３文、前記見出しのすべてと前記段落のすべての文、前記見出しのすべてとを順次切り換えて表示し、前記見出しや前記文の近傍に付加された前記要約変更マークが指定されるごとに、前記見出し、前記見出しと最初の１文、前記見出しと最初の２文、前記見出しと最初の３文、前記見出しとすべての文、前記見出しとを順次切り換えて表示することを特徴とする請求項３４記載の電子文書表示装置。
【請求項３６】
前記制御部は、前記要約後の前記電子文書の最初や前記見出し、前記文の後に前記要約変更マークを付加することを特徴とする請求項３４又は３５記載の電子文書表示装置。
【請求項３７】
前記制御部は、前記要約後の前記電子文書全体、前記見出し、前記文の指定に応じて、前記要約前の前記電子文書全体や対応する前記段落全文を表示する全文表示処理を有することを特徴とする請求項２７、２８、２９、３０、３４、３５又は３６のいずれか１に記載の電子文書表示装置。
【請求項３８】
前記全文表示処理では、前記要約後の前記電子文書全体、前記見出し、前記文の指定に応じて、前記全文表示マークの指定に応じて、前記電子文書全体や対応する前記段落全文を元の文字サイズで表示することを特徴とする請求項３７記載の電子文書表示装置。
【請求項３９】
前記制御部は、前記要約後の前記電子文書全体、前記見出し、前記文の指定に応じて、所定の順序で前記電子文書や前記段落の要約方法を順次変更して表示することを特徴とする請求項２７、２８、２９、３０、３１、３２、３３、３７又は３８のいずれか１に記載の電子文書表示装置。
【請求項４０】
前記制御部は、前記電子文書全体が指定されるごとに、前記電子文書を構成する前記見出しのすべて、前記見出しのすべてと前記段落の最初の１文、前記見出しのすべてと前記段落の最初の２文、前記見出しのすべてと前記段落の最初の３文、前記見出しのすべてと前記段落のすべての文、前記見出しのすべてとを順次切り換えて表示し、前記見出しや前記文が指定されるごとに、前記見出し、前記見出しと最初の１文、前記見出しと最初の２文、前記見出しと最初の３文、前記見出しとすべての文、前記見出しとを順次切り換えて表示することを特徴とする請求項３９記載の電子文書表示装置。
【請求項４１】
前記制御部は、前記電子文書を表示する際には、設定又は操作部の操作に応じて、前記見出し及び前記文を、背景が黒、文字が黄色で表示することを特徴とする請求項２７乃至４０のいずれか１に記載の電子文書表示装置。
【請求項４２】
前記制御部は、前記電子文書を表示する際には、設定又は操作部の操作に応じて、前記見出し及び前記文を、文字のすべての部分がほぼ同じ太さで構成される書体で表示することを特徴とする請求項２７乃至４１のいずれか１に記載の電子文書表示装置。
【請求項４３】
前記制御部は、前記電子文書を表示する際には、前記要約後の前記電子文書のうち、設定された拡大方法により選択された前記見出しや前記文を設定された倍率により拡大して表示することを特徴とする請求項２７乃至４２のいずれか１に記載の電子文書表示装置。
【請求項４４】
前記制御部は、メニューを構成するコマンドボタン、ダイアログボックス又はボタンが指定された場合には、所定の倍率で前記コマンドボタン、前記ダイアログボックス又は前記ボタンが設定された倍率で拡大して表示することを特徴とする請求項２７乃至４３のいずれか１に記載の電子文書表示装置。
【請求項４５】
前記制御部は、前記指定を、操作部の操作により表示画面に表示されたカーソルやポインタが前記見出し、前記全文表示マーク、前記要約変更マーク、前記電子文書全体、前記文、前記コマンドボタン、前記ダイアログボックス、前記ボタンの各上に移動された後、前記操作部が操作されることにより認識し、又は、前記操作部の操作により表示画面上に表示されたカーソルやポインタが前記見出し、前記全文表示マーク、前記要約変更マーク、前記電子文書全体、前記文、前記コマンドボタン、前記ダイアログボックス、前記ボタンの各上に移動された後、前記カーソルや前記ポインタが所定時間当該個所に保持されていることを検出することにより認識することを特徴とする請求項２８乃至４４のいずれか１に記載の電子文書表示装置。
【請求項４６】
前記制御部は、各ユーザにより入力された個人情報に基づいて、各前記ユーザごとに、前記倍率や前記要約方法、前記要約方法、前記コマンドボタン、前記ダイアログボックス、前記ボタンの倍率、前記見出し及び前記文の背景や文字色を設定することを特徴とする請求項２７乃至４５のいずれか１に記載の電子文書表示装置。
【請求項４７】
前記個人情報は、前記ユーザの生年月日、性別、矯正視力や医学的診断による症状であることを特徴とする請求項４６記載の電子文書表示装置。
【請求項４８】
前記制御部は、前記電子文書表示を開始してから所定時間が経過した場合には、その旨を警告し、必要に応じて前記電子文書表示を一時中断又は前記倍率を変更することを特徴とする請求項２７乃至４７のいずれか１に記載の電子文書表示装置。
【請求項４９】
前記制御部は、前記ユーザの目の瞬き回数が所定回数以上である場合には、その旨を警告し、必要に応じて前記電子文書表示を一時中断又は前記倍率を変更することを特徴とする請求項２７乃至４８のいずれか１に記載の電子文書表示装置。
【請求項５０】
前記制御部は、前記ユーザの目近傍の明るさが所定値以下である場合には、その旨を警告し、必要に応じて前記電子文書表示を一時中断又は前記倍率を変更することを特徴とする請求項２７乃至４９のいずれか１に記載の電子文書表示装置。
【請求項５１】
前記制御部は、表示画面と前記ユーザの目との距離が所定値以下である場合には、その旨を警告し、必要に応じて前記倍率を変更し又は前記電子文書表示を一時中断することを特徴とする請求項２７乃至５０のいずれか１に記載の電子文書表示装置。
【発明の詳細な説明】
【０００１】
【発明の属する技術分野】
この発明は、インターネット上で公開されているウエッブページ（ｗｅｂ）ページやワードプロセッサ・ソフトウェア等により作成された文書（これらを電子文書と総称する）を表示するための電子文書表示方法、そのプログラム及びその装置に関し、特に、弱視者や高齢者その他の視力が弱い者を対象とした電子文書表示方法、そのプログラム及びその装置に関する。
【０００２】
【従来の技術】
近年、パーソナルコンピュータ（以下、パソコンと略す。）等で使用される、インターネット上で公開されているウエッブページを閲覧するためのアプリケーション・ソフトウェアであるブラウザ（ｂｒｏｗｓｅｒ）には、代表的なものとして、マイクロソフト社のＩｎｔｅｒｎｅｔ　Ｅｘｐｌｏｒｅｒ（商標名）やネットスケープ社のＮｅｔｓｃａｐｅ　Ｎａｖｉｇａｔｏｒ（商標名）がある。この種のブラウザは、ユーザ、特に、弱視者や高齢者その他の視力が弱い者の目の負担を軽減するために、表示部の表示領域の内容（文字や絵等）を拡大して表示したり、ユーザが表示領域の背景の色や文字の色、あるいは文字のフォントの大きさを設定することにより、見やすくする機能を有している。ここで、弱視者とは、メガネやコンタクトレンズで矯正しても視力が０．３よりよくならない者をいう。
【０００３】
一般に、ウエッブページは、表示する文章とその構成（ページタイトル、段落、見出し等の表示位置、文字の大きさ等）を示したＨＴＭＬ（ＨｙｐｅｒＴｅｘｔ　ＭａｒｋｕｐＬａｎｇｕａｇｅ）やＳＧＭＬ（Ｓｔａｎｄａｒｄ　Ｇｅｎｅｒａｌｉｚｅｄ　Ｍａｒｋｕｐ　Ｌａｎｇｕａｇｅ）等のマークアップ言語（ｍａｒｋｕｐ　ｌａｎｇｕａｇｅ）で作成されている。ブラウザは、このようなウエッブページを読み込んだ際に、そのマークアップ言語を解析し、ページタイトルや段落、見出し等の表示位置、文字の大きさを決定し、ウエッブページを表示部に表示している。
また、ユーザが起動中のブラウザに対して文字の基本拡大倍率（例えば、最大、大、中、小、最小のいずれか）の変更を指示した場合には、ブラウザは、変更指示された基本拡大倍率に応じてウエッブページの文字サイズを変更して表示部に表示する。ここで、基本拡大倍率とは、ウエッブページを構成する本文の既定の文字サイズに対する拡大の割合を意味している。
【０００４】
一方、ウィンドウズ（登録商標）等のオペレーションシステム（ＯＳ）においても、デスクトップ表示画面における各アイコンやツールバー、タスクバー内のボタンを拡大表示する機能の他、体に障害を持つユーザがＯＳをより簡単に使用するためのユーザ補助機能が設けられている。このユーザ補助機能の中には、表示部の表示画面を上下に２分割し、下側に各アプリケーション・ソフトウェアの既定の文字サイズの内容を表示するとともに、上側に対応するアプリケーション・ソフトウェアのほぼ一行分の内容をユーザにより指定された倍率で拡大して表示する「拡大鏡」と呼ばれるツールがある。
さらに、ユーザの設定に応じて、ＯＳのデスクトップ画面の表示内容を、全面的又は部分的に拡大表示したり、背景色や文字色を変更して拡大表示したり、メニューやダイアログボックスの操作時やアプリケーション・ソフトウェアごとに拡大倍率を設定する拡大表示ソフトウェアが開発されている。この種のソフトウェアとしては、Ａｉ　Ｓｑｕａｒｅｄ社のＺｏｏｍＴｅｘｔ　Ｘｔｒａ　Ｌｅｖｅｌ１（登録商標）や、Ｄｏｌｐｈｉｎ　Ｃｏｍｐｕｔｅｒ　Ａｃｃｅｓｓ　Ｌｉｍｉｔｅｄ．社のＬｕｎａｒ　ｆｏｒ　Ｗｉｎｄｏｗｓ　９５／９８／Ｍｅ（登録商標）等がある。
【０００５】
【発明が解決しようとする課題】
ところで、弱視者の病状としては、視野が狭かったり、暗いところでは見えなくなったり、まぶしさに弱かったり、色がわかりにくかったり、眼球が絶えず細かく動くために一点を見つめるのが苦手だったりなどがある。また、高齢者その他の視力が弱い者でも、白内障や緑内障等に罹患しているなど、視力が弱い原因は様々である。また、どのようなユーザであっても、表示部の表示画面を視る時間が長くなればなるほど目が疲労してくるものである。
しかし、上記した従来のブラウザやユーザの視力等を考慮した各種のソフトウェアは、ウエッブページやデスクトップ画面の表示内容はそのまま、すなわち、ユーザが視る文字数は変えないで文字やアイコン等を拡大表示しているに過ぎない。したがって、ユーザがウエッブページやデスクトップ画面の表示内容を理解するために読まなければならない文字数は変わらないので、目が疲れてしまうことには変わりない。また、上記した各種のソフトウェアは、文字の拡大率やその色等はユーザが個々に設定する必要があるが、その設定をする前の段階では文字の大きさや色は通常の視力を有する者を前提に設定されているため、使い勝手がよいとは言えない。
【０００６】
この発明は、上述の事情に鑑みてなされたもので、弱視者や高齢者その他の視力が弱い者であっても、簡単な操作で、目の負担を軽減できしかも電子文書の情報から重要な部分や興味のある部分を効率的に見つけ出してその内容を十分把握することができる電子文書表示方法、そのプログラム及びその装置を提供することを目的としている。
【０００７】
【課題を解決するための手段】
上記課題を解決するために、請求項１記載の発明に係る電子文書表示方法は、見出しと複数の文とからなる段落を有する電子文書を設定された倍率により拡大する拡大処理と、設定された要約方法により上記電子文書から一部の上記見出しや一部の上記段落、あるいは上記段落を構成する一部の上記文を除去することにより上記電子文書を要約する要約処理と、上記拡大処理及び上記要約処理がなされた上記電子文書を表示する表示処理とを有することを特徴としている。
【０００８】
また、請求項２記載の発明は、請求項１記載の電子文書表示方法に係り、上記見出しは、ファイルやデータの一部につけ加える属性情報であるタグ、あるひとまとまりの文字ブロックの先頭にあり、体言止めとなっているもの、指定することによりリンクが可能となっているもの、書式や文字サイズが他の文章と異なっているもの、先頭に数字とピリオド又は空白があるもののいずれかからなることを特徴としている。
【０００９】
また、請求項３記載の発明は、請求項１又は２記載の電子文書表示方法に係り、上記要約処理では、上記倍率に応じて上記要約後の上記電子文書の文字数を変更することを特徴としている。
【００１０】
また、請求項４記載の発明は、請求項１乃至３のいずれか１に記載の電子文書表示方法に係り、上記要約処理は、上記電子文書の文章構造を解析し、設定された規則に基づいて上記電子文書から表示情報を抽出する第１のステップと、上記表示情報に基づいて、上記電子文書を再構成する第２のステップとからなることを特徴としている。
【００１１】
また、請求項５記載の発明は、請求項１乃至４のいずれか１に記載の電子文書表示方法に係り、上記要約処理では、上記要約後の上記電子文書、上記見出し、上記文の少なくとも１つの近傍に、上記要約前の上記電子文書全体や上記段落全文を表示することを指示するための全文表示マークを付加し、上記表示処理は、上記全文表示マークの指定に応じて、上記要約前の上記電子文書全体や対応する上記段落全文を表示する全文表示処理を有することを特徴としている。
【００１２】
また、請求項６記載の発明は、請求項５記載の電子文書表示方法に係り、上記要約処理では、上記要約後の上記電子文書の最初や上記見出し、上記文の後に上記全文表示マークを付加することを特徴としている。
【００１３】
また、請求項７記載の発明は、請求項５又は６記載の電子文書表示方法に係り、上記全文表示処理では、上記全文表示マークの指定に応じて、上記電子文書全体や対応する上記段落全文を元の文字サイズで表示することを特徴としている。
【００１４】
また、請求項８記載の発明は、請求項１乃至７のいずれか１に記載の電子文書表示方法に係り、上記要約処理では、上記要約後の上記電子文書、上記見出し、上記文の少なくとも１つの近傍に、上記電子文書や上記段落の要約方法の順次変更を指示するための要約変更マークを付加し、上記表示処理は、上記要約変更マークの指定に応じて、所定の順序で上記電子文書や上記段落の要約方法を順次変更して表示する要約変更表示処理を有することを特徴としている。
【００１５】
また、請求項９記載の発明は、請求項８記載の電子文書表示方法に係り、上記要約変更表示処理では、上記電子文書の近傍に付加された上記要約変更マークが指定されるごとに、上記電子文書を構成する上記見出しのすべて、上記見出しのすべてと上記段落の最初の１文、上記見出しのすべてと上記段落の最初の２文、上記見出しのすべてと上記段落の最初の３文、上記見出しのすべてと上記段落のすべての文、上記見出しのすべてとを順次切り換えて表示し、上記見出しや上記文の近傍に付加された上記要約変更マークが指定されるごとに、上記見出し、上記見出しと最初の１文、上記見出しと最初の２文、上記見出しと最初の３文、上記見出しとすべての文、上記見出しとを順次切り換えて表示することを特徴としている。
【００１６】
また、請求項１０記載の発明は、請求項８又は９記載の電子文書表示方法に係り、上記要約処理では、上記要約後の上記電子文書の最初や上記見出し、上記文の後に上記要約変更マークを付加することを特徴としている。
【００１７】
また、請求項１１記載の発明は、請求項１、２、３、４、８、９又は１０のいずれか１に記載の電子文書表示方法に係り、上記表示処理は、上記要約後の上記電子文書全体、上記見出し、上記文の指定に応じて、上記要約前の上記電子文書全体や対応する上記段落全文を表示する全文表示処理を有することを特徴としている。
【００１８】
また、請求項１２記載の発明は、請求項１１記載の電子文書表示方法に係り、上記全文表示処理では、上記要約後の上記電子文書全体、上記見出し、上記文の指定に応じて、上記電子文書全体や対応する上記段落全文を元の文字サイズで表示することを特徴としている。
【００１９】
また、請求項１３記載の発明は、請求項１、２、３、４、５、６、７、１１又は１２のいずれか１に記載の電子文書表示方法に係り、上記表示処理は、上記要約後の上記電子文書全体、上記見出し、上記文の指定に応じて、所定の順序で上記電子文書や上記段落の要約方法を順次変更して表示する要約変更表示処理を有することを特徴としている。
【００２０】
また、請求項１４記載の発明は、請求項１３記載の電子文書表示方法に係り、上記要約変更表示処理では、上記電子文書全体が指定されるごとに、上記電子文書を構成する上記見出しのすべて、上記見出しのすべてと上記段落の最初の１文、上記見出しのすべてと上記段落の最初の２文、上記見出しのすべてと上記段落の最初の３文、上記見出しのすべてと上記段落のすべての文、上記見出しのすべてとを順次切り換えて表示し、上記見出しや上記文が指定されるごとに、上記見出し、上記見出しと最初の１文、上記見出しと最初の２文、上記見出しと最初の３文、上記見出しとすべての文、上記見出しとを順次切り換えて表示することを特徴としている。
【００２１】
また、請求項１５記載の発明は、請求項１乃至１４のいずれか１に記載の電子文書表示方法に係り、上記表示処理、上記全文表示処理、上記要約変更表示処理では、設定又は操作部の操作に応じて、上記見出し及び上記文は、背景が黒、文字が黄色で表示することを特徴としている。
【００２２】
また、請求項１６記載の発明は、請求項１乃至１５のいずれか１に記載の電子文書表示方法に係り、上記表示処理、上記全文表示処理、上記要約変更表示処理では、設定又は操作部の操作に応じて、上記見出し及び上記文は、文字のすべての部分がほぼ同じ太さで構成される書体で表示することを特徴としている。
【００２３】
また、請求項１７記載の発明は、請求項１乃至１６のいずれか１に記載の電子文書表示方法に係り、上記表示処理、上記全文表示処理、上記要約変更表示処理では、上記要約後の上記電子文書のうち、設定された拡大方法により選択された上記見出しや上記文を設定された倍率により拡大して表示することを特徴としている。
【００２４】
また、請求項１８記載の発明は、請求項１乃至１７のいずれか１に記載の電子文書表示方法に係り、上記表示処理、上記全文表示処理、上記要約変更表示処理では、メニューを構成するコマンドボタン、ダイアログボックス又はボタンが指定された場合には、所定の倍率で上記コマンドボタン、上記ダイアログボックス又は上記ボタンが設定された倍率で拡大して表示することを特徴としている。
【００２５】
また、請求項１９記載の発明は、請求項２乃至１８のいずれか１に記載の電子文書表示方法に係り、上記指定は、操作部の操作により表示画面に表示されたカーソルやポインタが上記見出し、上記全文表示マーク、上記要約変更マーク、上記電子文書全体、上記文、上記コマンドボタン、上記ダイアログボックス、上記ボタンの各上に移動された後、上記操作部が操作されることにより認識し、又は、上記操作部の操作により表示画面上に表示されたカーソルやポインタが上記見出し、上記全文表示マーク、上記要約変更マーク、上記電子文書全体、上記文、上記コマンドボタン、上記ダイアログボックス、上記ボタンの各上に移動された後、上記カーソルや上記ポインタが所定時間当該個所に保持されていることを検出することにより認識することを特徴としている。
【００２６】
また、請求項２０記載の発明は、請求項１乃至１９のいずれか１に記載の電子文書表示方法に係り、各ユーザにより入力された個人情報に基づいて、各上記ユーザごとに、上記倍率や上記要約方法、上記要約方法、上記コマンドボタン、上記ダイアログボックス、上記ボタンの倍率、上記見出し及び上記文の背景や文字色が設定されることを特徴としている。
【００２７】
また、請求項２１記載の発明は、請求項２０記載の電子文書表示方法に係り、上記個人情報は、上記ユーザの生年月日、性別、矯正視力や医学的診断による症状であることを特徴としている。
【００２８】
また、請求項２２記載の発明は、請求項１乃至２１のいずれか１に記載の電子文書表示方法に係り、上記電子文書表示を開始してから所定時間が経過した場合には、その旨を警告し、必要に応じて上記電子文書表示を一時中断又は上記倍率を変更することを特徴としている。
【００２９】
また、請求項２３記載の発明は、請求項１乃至２２のいずれか１に記載の電子文書表示方法に係り、上記ユーザの目の瞬き回数が所定回数以上である場合には、その旨を警告し、必要に応じて上記電子文書表示を一時中断又は上記倍率を変更することを特徴としている。
【００３０】
また、請求項２４記載の発明は、請求項１乃至２３のいずれか１に記載の電子文書表示方法に係り、上記ユーザの目近傍の明るさが所定値以下である場合には、その旨を警告し、必要に応じて上記電子文書表示を一時中断又は上記倍率を変更することを特徴としている。
【００３１】
また、請求項２５記載の発明は、請求項１乃至１４のいずれか１に記載の電子文書表示方法に係り、表示画面と上記ユーザの目との距離が所定値以下である場合には、その旨を警告し、必要に応じて上記倍率を変更し又は上記電子文書表示を一時中断することを特徴としている。
【００３２】
また、請求項２６記載の発明に係る電子文書表示プログラムは、コンピュータに請求項１乃至２５のいずれか１に記載の機能を実現させることを特徴としている。
【００３３】
また、請求項２７記載の発明に係る電子文書表示装置は、見出しと複数の文とからなる段落を有する電子文書を設定された倍率により拡大するとともに、設定された要約方法により上記電子文書から一部の上記見出しや一部の上記段落、あるいは上記段落を構成する一部の上記文を除去することにより上記電子文書を要約し、上記拡大及び上記要約がなされた上記電子文書を表示する制御部を備えてなることを特徴としている。
【００３４】
また、請求項２８記載の発明は、請求項２７記載の電子文書表示装置に係り、上記見出しは、ファイルやデータの一部につけ加える属性情報であるタグ、あるひとまとまりの文字ブロックの先頭にあり、体言止めとなっているもの、指定することによりリンクが可能となっているもの、書式や文字サイズが他の文章と異なっているもの、先頭に数字とピリオド又は空白があるもののいずれかからなることを特徴としている。
【００３５】
また、請求項２９記載の発明は、請求項２７又は２８記載の電子文書表示装置に係り、上記制御部は、上記倍率に応じて上記要約後の上記電子文書の文字数を変更することを特徴としている。
【００３６】
また、請求項３０記載の発明は、請求項２７乃至２９のいずれか１に記載の電子文書表示装置に係り、上記制御部は、上記電子文書の文章構造を解析し、設定された規則に基づいて上記電子文書から表示情報を抽出した後、上記表示情報に基づいて、上記電子文書を再構成して上記要約を行うことを特徴としている。
【００３７】
また、請求項３１記載の発明は、請求項２７乃至３１のいずれか１に記載の電子文書表示装置に係り、上記制御部は、上記要約後の上記電子文書、上記見出し、上記文の少なくとも１つの近傍に、上記要約前の上記電子文書全体や上記段落全文を表示することを指示するための全文表示マークを付加し、上記全文表示マークの指定に応じて、上記要約前の上記電子文書全体や対応する上記段落全文を表示することを特徴としている。
【００３８】
また、請求項３２記載の発明は、請求項３１記載の電子文書表示装置に係り、上記制御部は、上記要約後の上記電子文書の最初や上記見出し、上記文の後に上記全文表示マークを付加することを特徴としている。
【００３９】
また、請求項３３記載の発明は、請求項３１又は３２記載の電子文書表示装置に係り、上記制御部は、上記全文表示マークの指定に応じて、上記電子文書全体や対応する上記段落全文を元の文字サイズで表示することを特徴としている。
【００４０】
また、請求項３４記載の発明は、請求項２７乃至３３のいずれか１に記載の電子文書表示装置に係り、上記制御部は、上記要約後の上記電子文書、上記見出し、上記文の少なくとも１つの近傍に、上記電子文書や上記段落の要約方法の順次変更を指示するための要約変更マークを付加し、上記要約変更マークの指定に応じて、所定の順序で上記電子文書や上記段落の要約方法を順次変更して表示することを特徴としている。
【００４１】
また、請求項３５記載の発明は、請求項３４記載の電子文書表示装置に係り、上記制御部は、上記電子文書の近傍に付加された上記要約変更マークが指定されるごとに、上記電子文書を構成する上記見出しのすべて、上記見出しのすべてと上記段落の最初の１文、上記見出しのすべてと上記段落の最初の２文、上記見出しのすべてと上記段落の最初の３文、上記見出しのすべてと上記段落のすべての文、上記見出しのすべてとを順次切り換えて表示し、上記見出しや上記文の近傍に付加された上記要約変更マークが指定されるごとに、上記見出し、上記見出しと最初の１文、上記見出しと最初の２文、上記見出しと最初の３文、上記見出しとすべての文、上記見出しとを順次切り換えて表示することを特徴としている。
【００４２】
また、請求項３６記載の発明は、請求項３４又は３５記載の電子文書表示装置に係り、上記制御部は、上記要約後の上記電子文書の最初や上記見出し、上記文の後に上記要約変更マークを付加することを特徴としている。
【００４３】
また、請求項３７記載の発明は、請求項２７、２８、２９、３０、３４、３５又は３６のいずれか１に記載の電子文書表示装置に係り、上記制御部は、上記要約後の上記電子文書全体、上記見出し、上記文の指定に応じて、上記要約前の上記電子文書全体や対応する上記段落全文を表示する全文表示処理を有することを特徴としている。
【００４４】
また、請求項３８記載の発明は、請求項３７記載の電子文書表示装置に係り、上記全文表示処理では、上記要約後の上記電子文書全体、上記見出し、上記文の指定に応じて、上記全文表示マークの指定に応じて、上記電子文書全体や対応する上記段落全文を元の文字サイズで表示することを特徴としている。
【００４５】
また、請求項３９記載の発明は、請求項２７、２８、２９、３０、３１、３２、３３、３７又は３８のいずれか１に記載の電子文書表示装置に係り、上記制御部は、上記要約後の上記電子文書全体、上記見出し、上記文の指定に応じて、所定の順序で上記電子文書や上記段落の要約方法を順次変更して表示することを特徴としている。
【００４６】
また、請求項４０記載の発明は、請求項３９記載の電子文書表示装置に係り、上記制御部は、上記電子文書全体が指定されるごとに、上記電子文書を構成する上記見出しのすべて、上記見出しのすべてと上記段落の最初の１文、上記見出しのすべてと上記段落の最初の２文、上記見出しのすべてと上記段落の最初の３文、上記見出しのすべてと上記段落のすべての文、上記見出しのすべてとを順次切り換えて表示し、上記見出しや上記文が指定されるごとに、上記見出し、上記見出しと最初の１文、上記見出しと最初の２文、上記見出しと最初の３文、上記見出しとすべての文、上記見出しとを順次切り換えて表示することを特徴としている。
【００４７】
また、請求項４１記載の発明は、請求項２７乃至４０のいずれか１に記載の電子文書表示装置に係り、上記制御部は、上記電子文書を表示する際には、設定又は操作部の操作に応じて、上記見出し及び上記文を、背景が黒、文字が黄色で表示することを特徴としている。
【００４８】
また、請求項４２記載の発明は、請求項２７乃至４１のいずれか１に記載の電子文書表示装置に係り、上記制御部は、上記電子文書を表示する際には、設定又は操作部の操作に応じて、上記見出し及び上記文を、文字のすべての部分がほぼ同じ太さで構成される書体で表示することを特徴としている。
【００４９】
また、請求項４３記載の発明は、請求項２７乃至４２のいずれか１に記載の電子文書表示装置に係り、上記制御部は、上記電子文書を表示する際には、上記要約後の上記電子文書のうち、設定された拡大方法により選択された上記見出しや上記文を設定された倍率により拡大して表示することを特徴としている。
【００５０】
また、請求項４４記載の発明は、請求項２７乃至４３のいずれか１に記載の電子文書表示装置に係り、上記制御部は、メニューを構成するコマンドボタン、ダイアログボックス又はボタンが指定された場合には、所定の倍率で上記コマンドボタン、上記ダイアログボックス又は上記ボタンが設定された倍率で拡大して表示することを特徴としている。
【００５１】
また、請求項４５記載の発明は、請求項２８乃至４４のいずれか１に記載の電子文書表示装置に係り、上記制御部は、上記指定を、操作部の操作により表示画面に表示されたカーソルやポインタが上記見出し、上記全文表示マーク、上記要約変更マーク、上記電子文書全体、上記文、上記コマンドボタン、上記ダイアログボックス、上記ボタンの各上に移動された後、上記操作部が操作されることにより認識し、又は、上記操作部の操作により表示画面上に表示されたカーソルやポインタが上記見出し、上記全文表示マーク、上記要約変更マーク、上記電子文書全体、上記文、上記コマンドボタン、上記ダイアログボックス、上記ボタンの各上に移動された後、上記カーソルや上記ポインタが所定時間当該個所に保持されていることを検出することにより認識することを特徴としている。
【００５２】
また、請求項４６記載の発明は、請求項２７乃至４５のいずれか１に記載の電子文書表示装置に係り、上記制御部は、各ユーザにより入力された個人情報に基づいて、各上記ユーザごとに、上記倍率や上記要約方法、上記要約方法、上記コマンドボタン、上記ダイアログボックス、上記ボタンの倍率、上記見出し及び上記文の背景や文字色を設定することを特徴としている。
【００５３】
また、請求項４７記載の発明は、請求項４６記載の電子文書表示装置に係り、上記個人情報は、上記ユーザの生年月日、性別、矯正視力や医学的診断による症状であることを特徴としている。
【００５４】
また、請求項４８記載の発明は、請求項２７乃至４７のいずれか１に記載の電子文書表示装置に係り、上記制御部は、上記電子文書表示を開始してから所定時間が経過した場合には、その旨を警告し、必要に応じて上記電子文書表示を一時中断又は上記倍率を変更することを特徴としている。
【００５５】
また、請求項４９記載の発明は、請求項２７乃至４８のいずれか１に記載の電子文書表示装置に係り、上記制御部は、上記ユーザの目の瞬き回数が所定回数以上である場合には、その旨を警告し、必要に応じて上記電子文書表示を一時中断又は上記倍率を変更することを特徴としている。
【００５６】
また、請求項５０記載の発明は、請求項２７乃至４９のいずれか１に記載の電子文書表示装置に係り、上記制御部は、上記ユーザの目近傍の明るさが所定値以下である場合には、その旨を警告し、必要に応じて上記電子文書表示を一時中断又は上記倍率を変更することを特徴としている。
【００５７】
また、請求項５１記載の発明は、請求項２７乃至５０のいずれか１に記載の電子文書表示装置に係り、上記制御部は、表示画面と上記ユーザの目との距離が所定値以下である場合には、その旨を警告し、必要に応じて上記倍率を変更し又は上記電子文書表示を一時中断することを特徴としている。
【００５８】
【発明の実施の形態】
以下、図面を参照して、この発明の実施の形態について説明する。説明は、実施例を用いて具体的に行う。
Ａ．第１の実施例
まず、この発明の第１の実施例について説明する。
図２は、この発明の第１の実施例である電子文書表示方法を適用したネットワークシステムの構成を示すブロック図である。
この例のネットワークシステムは、パソコン（電子文書表示装置）１１〜１ｎ（ｎは自然数）と、サーバ２１〜２ｍ（ｍは自然数）と、ネットワーク３とから構成されている。パソコン１１〜１ｎと、サーバ２１〜２ｍとは、インターネット等からなるネットワーク３を介して互いに接続されている。
【００５９】
パソコン１１〜１ｎは、図３に示すように、各々、制御部４と、記憶部５と、表示部６と、操作部７と、通信部８とから構成されている。制御部４は、ＣＰＵ（中央処理装置）等からなり、記憶部５に記憶されているブラウザ等の各種プログラムに基づいて、ウエッブページ拡大表示処理等を実行する。ウエッブページ拡大表示処理は、ユーザの操作部７の操作に応じて、ウエッブページの対応する個所のひとまとまりの文章等を要約するとともに拡大して表示する処理である。
【００６０】
記憶部５は、ＲＯＭやＲＡＭ等の半導体メモリ、ＦＤ（フレキシブル・ディスク）が装着されるＦＤドライバ、ＨＤ（ハード・ディスク）が装着されるＨＤドライバ、ＭＯ（光磁気）ディスクが装着されるＭＯディスクドライバ、あるいはＣＤ（コンパクト・ディスク）−ＲＯＭ、ＣＤ−Ｒ（Ｒｅｃｏｒｄａｂｌｅ）、ＣＤ−ＲＷ（ＲｅＷｒｉｔａｂｌｅ）やＤＶＤ−ＲＯＭ、ＤＶＤ−Ｒ、ＤＶＤ−ＲＷ等が装着されるＣＤ／ＤＶＤドライバ等からなる。記憶部５には、制御部４が実行する各種プログラムの他、各種のデータが記憶される。表示部６は、ＣＲＴディスプレイ、液晶ディスプレイ、あるいはプラズマディスプレイなどからなる。操作部７は、キーボードやマウス等からなる。通信部８は、ネットワーク３を介してサーバ２１〜２ｍとデータ通信を行う。
【００６１】
図２に示すサーバ２１〜２ｍは、各々、制御部と、記憶部と、表示部と、操作部と、通信部とを有するコンピュータ等の情報処理装置によって構成されている。サーバ２１〜２ｍは、各々インターネット・サービス・プロバイダ（ＩＳＰ；Ｉｎｔｅｒｎｅｔ　ｓｅｒｖｉｃｅ　ｐｒｏｖｉｄｅｒ）や電子商取引サイト（ＥＣサイト；ｅｌｅｃｔｒｏｎｉｃ　ｃｏｍｍｅｒｃｅ　ｓｉｔｅ）等のコンテンツ提供者により設置・管理されている。制御部は、ＣＰＵ等からなり、記憶部に記憶されているプログラムに基づいて、コンテンツ供給処理等を実行する。コンテンツ供給処理は、パソコン１１〜１ｎのいずれかからアクセスされた場合、ユーザにより要求されたコンテンツを生成した後、ウエッブページとして対応するパソコン１１〜１ｎに送信する処理である。
【００６２】
記憶部は、ＲＯＭやＲＡＭ等の半導体メモリ、ＦＤが装着されるＦＤドライバ、ＨＤが装着されるＨＤドライバ、ＭＯディスクが装着されるＭＯディスクドライバ、あるいはＣＤ−ＲＯＭ、ＣＤ−Ｒ、ＣＤ−ＲＷやＤＶＤ−ＲＯＭ、ＤＶＤ−Ｒ、ＤＶＤ−ＲＷ等が装着されるＣＤ／ＤＶＤドライバ等からなる。記憶部には、制御部が実行する各種プログラムの他、各種のデータやコンテンツが記憶される。表示部は、ＣＲＴディスプレイ、液晶ディスプレイ、あるいはプラズマディスプレイなどからなる。操作部は、キーボードやマウス等からなる。通信部は、ネットワーク３を介してパソコン１１〜１ｎとデータ通信を行う。
【００６３】
この第１の実施例においては、ウエッブページを構成する各文章をそのままの文字数で拡大表示するのではなく、各文章を所定の規則に従って要約するとともに拡大表示することを特徴としている。まず、表示対象のウエッブページの一部を簡略化したものを図４に示す。このウエッブページは、「関東経済新聞社」が管理する「ＫＡＮＫＥＩ．ｃｏｍ」というサーバから提供されるものであり、ホームページを構成する「情報ディレクトリ」の中の「金融・マネー」というジャンルの中の「株式」というウエッブページである。また、各文字のフォントは、弱視者等の視力の弱い者にとっては、漢字の「はね」や「はらい」等の各先端部分が他の部分より細くなる明朝体よりも、すべての部分が同じ太さのゴシック体が望ましい。
【００６４】
次に、上記構成のネットワークシステムの動作について、図１に示すフローチャートを参照して説明する。前提として、ユーザはパソコン１１を所有し、関東経済新聞社が管理するサーバはサーバ２１であるとする。また、この例のネットワークシステムにおいては、「基本拡大倍率」が随時設定可能に構成されているとともに、設定された「基本拡大倍率」に対応する「見出しの表示方法」、「要約方法」及び「拡大方法」も随時設定可能に構成されている。ここで、「基本拡大倍率」とは、上記したように、ウエッブページを構成する本文の既定の文字サイズに対する拡大の割合を意味している。また、「見出し」とは、例えば、ファイルやデータの一部につけ加える属性情報であるタグ、段落等のあるひとまとまりの文字ブロックの先頭にあるもの（例えば、体言止めとなっているもの、クリックすることによりリンクが可能となっているもの、書式や文字サイズが他の文章と異なっているもの、先頭に数字とピリオド又は空白があるもの）などをいう。このようなものを制御部４が検索した場合に「見出し」と認識する。「見出しの表示方法」とは、ウエッブページを構成する複数の「見出し」を表示する方法を意味している。
【００６５】
さらに、「要約方法」とは、ウエッブページを構成する本文を要約して表示する方法を意味している。「拡大方法」とは、要約表示された各本文のうち、どの部分を設定された「基本拡大倍率」で拡大表示するかを表している。図５には、「基本拡大倍率」、「見出しの表示方法」、「要約方法」及び「拡大方法」の設定可能な具体例を示している。「見出しの表示方法」において、「最初からユーザにより設定された個数の見出し」とは、すべての「見出し」のうち、最初の「見出し」から何個目まで表示するかをユーザが設定可能であることを意味している。また、「ユーザにより設定された特定の語を含んだ見出し」とは、すべての「見出し」のうち、ユーザが例えば、「株式」という特定の語を含んだ「見出し」のみを表示することが設定可能であることを意味している。一方、「要約方法」において、「見出しとユーザにより設定された個数の最初と最後の文」とは、表示される「見出し」により代表される段落に属する複数の文のうち、ユーザにより設定された個数の最初の文と最後の文とが当該段落の要約として表示されることを意味している。また、「見出しとユーザにより設定された特定の語を含んだ文」とは、表示される「見出し」により代表される段落に属する複数の文のうち、ユーザにより設定された特定の語（例えば、「株式」）を含んだ文が当該段落の要約として表示されることを意味している。
【００６６】
「拡大方法」において、「すべての見出し及びすべての段落の文」とは、すべての「見出し」のうち、「見出しの表示方法」により設定された「見出し」すべてを拡大表示するとともに、拡大表示された「見出し」に対応した段落のすべてにおいて、「要約方法」により設定された文について拡大表示することを意味している。また、「すべての見出しと、最初からユーザにより設定された個数の段落の文」とは、すべての「見出し」のうち、「見出しの表示方法」により設定された「見出し」すべてを拡大表示するとともに、拡大表示された「見出し」に対応した段落のうち、ユーザにより設定された個数の最初の段落において、「要約方法」により設定された文について拡大表示することを意味している。「すべての見出しと、最初からユーザにより設定された個数の段落の文と、最後の段落の文」とは、すべての「見出し」のうち、「見出しの表示方法」により設定された「見出し」すべてを拡大表示するとともに、拡大表示された「見出し」に対応した段落のうち、ユーザにより設定された個数の最初の段落及び最後の段落において、「要約方法」により設定された文について拡大表示することを意味している。「すべての見出しと、ユーザにより設定された特定の語を含んだ段落の文」とは、すべての「見出し」のうち、「見出しの表示方法」により設定された「見出し」すべてを拡大表示するとともに、拡大表示された「見出し」に対応した段落のうち、ユーザにより設定された特定の語（例えば、「株式」）を含んだ文がある段落において、「要約方法」により設定された文について拡大表示することを意味している。
【００６７】
以上説明した「基本拡大倍率」、「見出しの表示方法」、「要約方法」及び「拡大方法」の設定可能な具体例等は、予め図３に示す記憶部５の所定の記憶領域に記憶されているとともに、ユーザにより設定された、「基本拡大倍率」と、各「基本拡大倍率」ごとの「見出しの表示方法」、「要約方法」及び「拡大方法」の設定結果は図３に示す記憶部５の所定の記憶領域に記憶される。今の場合、ユーザは、「基本拡大倍率」として「４倍」を設定するとともに、各「基本拡大倍率」ごとに、図６に示すように、「見出しの表示方法」として「すべての見出し」を、「要約方法」として「見出しと最初の４文」を、「拡大方法」として「すべての見出しと、最初の２個の段落の文」を予め設定しているものとする。
【００６８】
ユーザは、既に動作可能状態にある又は電源を投入して動作可能状態としたパソコン１１の操作部７を構成するキーボード又はマウスを操作して、ブラウザの起動を指示する。ブラウザが起動された後、ユーザがキーボード及びマウスを操作して、「関東経済新聞」社のＵＲＬ（Ｕｎｉｆｏｒｍ　Ｒｅｓｏｕｒｃｅ　Ｌｏｃａｔｏｒ）アドレス「ｈｔｔｐ：／／ＫＡＮＫＥＩ．ｃｏｍ／」を入力し、サーバ２１へのアクセスを指示する。
これにより、パソコン１１の制御部４は、図１に示すステップＳＡ１の処理へ進み、ＵＲＬアドレス「ｈｔｔｐ：／／ＫＡＮＫＥＩ．ｃｏｍ／」のウエッブページの情報（タイトル、見出し、段落、文章、図、アプレット等）を読み取った後、ステップＳＡ２へ進む。ステップＳＡ２では、パソコン１１の制御部４は、記憶部５にアクセスし、ユーザにより予め設定された「基本拡大倍率」（今の場合、４倍）を検索して読み取った後、ステップＳＡ３へ進む。ステップＳＡ３では、パソコン１１の制御部４は、記憶部５にアクセスし、読み取った「基本拡大倍率」に対応した、「見出しの表示方法」、「要約方法」及び「拡大方法」を検索して読み取った後、ステップＳＡ４へ進む。今の場合、「基本拡大倍率」が「４倍」であるので、「見出しの表示方法」として「すべての見出し」が、「要約方法」として「見出しと最初の４文」が、「拡大方法」として「すべての見出しと、最初の２個の段落の文」が各々記憶部５から読み取られる（図６参照）。
【００６９】
ステップＳＡ４では、パソコン１１の制御部４は、ステップＳＡ１の処理で読み取ったウエッブページの文章構造を解析し、ステップＳＡ３の処理で読み取った「見出しの表示方法」、「要約方法」及び「拡大方法」に基づいて、上記ウエッブページから表示部６に表示すべき情報（表示情報）を抽出した後、ステップＳＡ５へ進む。ステップＳＡ５では、パソコン１１の制御部４は、ステップＳＡ４の処理で抽出した表示情報に基づいて、上記ウエッブページを再構成し、再構成前後のウエッブページを記憶部５の所定の記憶領域に記憶した後、ステップＳＡ６へ進む。この際、ユーザにより設定された「要約方法」等（図６参照）に基づいて、ウエッブページの最初や各見出し、要約された文章の後に、要約する前の当該ウエッブページ全体や当該段落全文を表示することを指示するための全文表示マークと、当該ウエッブページや当該段落の要約方法の順次変更を指示するための要約変更マークを付加する。上記した全文表示は、もとの文字サイズでの表示でも、設定された基本拡大倍率での表示でもいずれでも良い。上記要約方法の順次変更は、（１）要約変更マークがウエッブページの最初に付加されている場合と、（２）各見出し、要約された文章の後に付加されている場合とにおいて、一例を挙げれば以下のようになる。
（１）要約変更マークがウエッブページの最初に付加されている場合
▲１▼すべての見出し→すべての見出しと各段落の最初の１文→すべての見出しと各段落の最初の２文→すべての見出しと各段落の最初の３文→すべての見出しと各段落のすべての文→すべての見出し→すべての見出しと各段落の最初の１文→…
▲２▼ユーザに選択肢を示して要約方法を選択させる
▲３▼ユーザに要約して表示すべき見出し、段落、各段落ごとの文のそれぞれの数を直接入力させる
（２）各見出し、要約された文章の後に付加されている場合
見出し→見出しと最初の１文→見出しと最初の２文→見出しと最初の３文→見出しとすべての文→見出し→見出しと最初の１文→…
なお、上記全文表示マークや上記要約変更マークは、ウエッブページの最初や各見出し、要約された文章の後に限らず、ウエッブページ、各見出し、要約された文章の近傍に付加しても良い。
【００７０】
ステップＳＡ６では、パソコン１１の制御部４は、ステップＳＡ５の処理で再構成され、記憶部５の所定の記憶領域に記憶されたウエッブページを読み出し、表示部６に表示した後、ステップＳＡ７へ進む。ここで、図７〜図１１に図４に示すウエッブページを、基本拡大倍率が「４倍」、「見出しの表示方法」が「すべての見出し」、「要約方法」が「見出しと最初の４文」、「拡大方法」が「すべての見出しと、最初の２個の段落の文」であるとして表示部６に表示する例を示す。図７〜図１１において、シャープ「＃」は上記全文表示マーク、フラット「♭」は要約変更マークである。これらの全文表示マーク及び要約変更マークが表示されていることにより、ユーザは当該本文がサーバ２１から送信されたままのウエッブページではなく、要約されたウエッブページであることを認識する。
【００７１】
ステップＳＡ７では、パソコン１１の制御部４は、上記全文表示マーク又は要約変更マークがクリックされたか否かを判断する。この判断結果が「ＮＯ」の場合には、パソコン１１の制御部４は、同判断を繰り返す。そして、ユーザにより上記全文表示マーク又は上記要約変更マークのいずれかがクリックされると、ステップＳＡ７の判断結果が「ＹＥＳ」となり、パソコン１１の制御部４は、ステップＳＡ８へ進む。ステップＳＡ８では、パソコン１１の制御部４は、ステップＳＡ５の処理で記憶部５の所定の記憶領域に記憶した再構成前後のウエッブページ、すなわち、サーバ２１から供給されたウエッブページと、現在表示部６に表示されているウエッブページの各々の内容を読み出して比較し、ユーザの上記全文表示マーク又は上記要約変更マークのクリックに応じて、ウエッブページを再構成し、再構成前後のウエッブページを記憶部５の所定の記憶領域に記憶した後、ステップＳＡ９へ進む。ステップＳＡ９では、パソコン１１の制御部４は、ステップＳＡ８の処理で再構成され、記憶部５の所定の記憶領域に記憶されたウエッブページを読み出し、表示部６に表示した後、ステップＳＡ７へ戻る。例えば、ウエッブページの最初に付与された全文表示マークがクリックされた場合には、パソコン１１の制御部４は、記憶部５の所定の記憶領域に記憶された図４に示すウエッブページを読み出して表示部６に表示する。
なお、上記全文表示マーク及び上記要約変更マークは、マウスのクリックにより指定されることに限定されない。すなわち、この指定は、操作部７を構成するマウスやトラックボール、ジョイステック等の操作により表示画面に表示されたカーソルやポインタが上記全文表示マーク上又は上記要約変更マーク上に移動された後、マウス等が操作されることにより制御部４が認識しても良い。また、制御部４は、マウス等の操作により表示画面上に表示されたカーソルやポインタが上記全文表示マーク上又は上記要約変更マーク上に移動された後、カーソルやポインタが所定時間当該個所に保持されていることを検出することにより上記指定を認識するように構成しても良い。後述する「クリック」についても同様である。
【００７２】
このように、この例の構成によれば、ユーザにより設定された「基本拡大倍率」、「見出しの表示方法」、「要約方法」や「拡大方法」によりウエッブページが要約され拡大表示されるので、弱視者や高齢者その他の視力が弱い者でも、簡単な操作で、目の負担を軽減できしかもウエッブページの情報から重要な部分や興味のある部分を効率的に見つけ出してその内容を十分把握することができる。
【００７３】
Ｂ．第２の実施例
次に、この発明の第２の実施例について説明する。まず、ネットワークシステムの構成については、図２に示す第１の実施例のネットワークシステムの構成と略同様であるとする。また、同システムを構成する各パソコン１１〜１ｎの構成についても、図３に示すパソコン１１の構成と略同様であるとする。ただし、各パソコン１１〜１ｎを構成する制御部４が実行するウエッブページ拡大表示処理等については後述するように異なる。
この第２の実施例においては、上記した第１の実施例のようにウエッブページを構成する本文の拡大及び要約だけでなく、本文の背景色や文字色の変更、メニューやダイヤログボックス、ボタンの拡大表示も設定可能に構成されているとともに、ウエッブページ本文の拡大表示等をユーザの操作に応じて動的に変更することを特徴としている。
【００７４】
次に、ウエッブページを構成する各文章の要約方法や拡大方法等の具体的な設定例について図１２を参照して説明する。
図１２において、「基本拡大倍率」、「要約方法」の意味は、図５の場合と同様である。なお、「拡大方法」とは、図５の場合とは異なり、ユーザがカーソルを移動させるのに応じてウエッブページを構成する文章のいずれを拡大表示するかを示す動的な拡大方法を意味している。例えば、図１２において、「カーソル位置前後の見出し３個とカーソルの位置する段落の文」とは、制御部４がユーザによって移動されたカーソルの表示画面における位置を検出し、その検出位置の前後３個の「見出し」を拡大表示するとともに、その検出位置下にある文が属する段落を構成するすべての文を拡大表示することを意味している。
【００７５】
また、「コントロール」とは、対応する「基本拡大倍率」で表示する際に、ブラウザにより表示されるメニュー画面、ダイアログボックス及び各種のボタンを何倍で拡大表示するかを表している。「表示形式」とは、「見出し」の背景色及び文字色と、「見出し」以外のその他の「文章」の背景色及び文字色とを何色で表示するかを表している。ここで、例えば、図１２の第１段で「見出し」の背景色を黒とし、文字色を黄色としているのは、一般的に、弱視の場合、このような「表示形式」で文字を表示するのが比較的見やすいからである。
以上説明した「基本拡大倍率」、「要約方法」、「拡大方法」、「コントロール」及び「表示形式」の設定可能な具体例等は、予め図３に示す記憶部５の所定の記憶領域に記憶されているとともに、ユーザにより設定された、「基本拡大倍率」と、各「基本拡大倍率」ごとの「要約方法」、「拡大方法」、「コントロール」及び「表示形式」の設定結果は図３に示す記憶部５の所定の記憶領域に記憶される。なお、各「基本拡大倍率」ごとの「要約方法」、「拡大方法」、「コントロール」及び「表示形式」は、例えば、図１３に示すように、予め初期設定として図３に示す記憶部５の所定の記憶領域に記憶されている。
【００７６】
次に、上記構成のネットワークシステムの動作について、図１４及び図１５に示すフローチャートを参照して説明する。図１４及び図１５において、図１の各処理と同一の処理には同一の符号を付け、その説明を省略する。すなわち、この例においては、ブラウザの起動後、ユーザにより予め設定された基本拡大倍率等でウエッブページを表示するいわゆる静的な表示については上記した第１の実施例と基本的には同様である。なお、図１４に示すステップＳＡ３の処理では、パソコン１１の制御部４が記憶部５から読み取るデータが、「基本拡大倍率」に対応した、「要約方法」、「拡大方法」、「コントロール」及び「表示形式」である点が上記した第１の実施例の場合と異なるため、その後のステップＳＡ４及びＳＡ５の処理がそのデータの差異に応じて異なってくる。
ここで、図１６〜図２０に図４に示すウエッブページを、基本拡大倍率が「４倍」、「要約方法」が「すべての見出しと各段落の最初の４文」、「拡大方法」が「すべての見出しとカーソル位置の段落とその次の段落の文」、「表示形式」が「見出し：背景色　黒、文字色　黄色　文章：背景色　黒、文字色　黄色」であるとして表示部６に表示する例を示す。なお、カーソルは図１６に示す本文上にあるものとする。図１６〜図２０において、斜体で表されている文字、例えば、図１６の『・ＫＡＮＫＥＩ　ＮＥＴ「マネー＆マーケット＃♭』は、黄色で表示部６に表示されることを示している。また、図１９において、『関東経済新聞社の「ＫＡＮＫＥＩ　ＮＥＴ」（後略）』は、拡大表示の対象となっておらず、既定値の文字サイズで表示されることを表している。
【００７７】
次に、この第２の実施例の特徴的な動作について、図１５を参照して説明する。
ステップＳＡ１０では、パソコン１１の制御部４は、カーソルが文書表示エリアにあるか否かを判断する。この判断結果が「ＹＥＳ」の場合には、パソコン１１の制御部４は、ステップＳＡ１１へ進む。ステップＳＡ１１では、パソコン１１の制御部４は、ステップＳＡ５の処理で記憶部５の所定の記憶領域に記憶した再構成前後のウエッブページ、すなわち、サーバ２１から供給されたウエッブページと、現在表示部６に表示されているウエッブページの各々の内容を読み出して比較し、カーソルの検出位置に応じて、ウエッブページを再構成し、再構成前後のウエッブページを記憶部５の所定の記憶領域に記憶した後、ステップＳＡ１２へ進む。例えば、カーソルが図１９の２番目の段落『・ＫＡＮＫＥＩ　ＮＥＴ「マネー＆マーケット」新規上場企業スケジュール関東経済新聞社の「ＫＡＮＫＥＩ　ＮＥＴ」の新規公開上場した企業の公開スケジュール情報コーナー。』の表示画面上である場合には、パソコン１１の制御部４は、図１６〜図１８に示す各段落の文の文字サイズを既定値の文字サイズとするとともに、図１９に示す２番目の段落及び図２０に示す段落の文の文字サイズを「基本拡大倍率」である４倍の文字サイズとなるようにウエッブページを再構成し、再構成前後のウエッブページを記憶部５の所定の記憶領域に記憶する。ステップＳＡ１２では、パソコン１１の制御部４は、ステップＳＡ１１の処理で再構成され、記憶部５の所定の記憶領域に記憶されたウエッブページを読み出し、表示部６に表示した後、図１４に示すステップＳＡ７へ戻る。
【００７８】
一方、ステップＳＡ１０の判断結果が「ＮＯ」の場合、すなわち、カーソルが文書表示エリアにない場合には、パソコン１１の制御部４は、ステップＳＡ１３へ進む。ステップＳＡ１３では、パソコン１１の制御部４は、メニュー、ダイアログボックス、スクロールボタン等の各種ボタンの拡大倍率を記憶部５の所定の記憶領域に記憶されているユーザによる設定結果に基づいて変更した後、図１４に示すステップＳＡ７へ戻る。
ここで、メニューやダイアログボックス等の拡大表示の例について図２１〜図２６を参照して説明する。図２１はメニューバーを構成する「ファイル」ボタンの拡大表示例、図２２はメニューバーを構成する「編集」の一部である「このページの検索」コマンドボタンの拡大表示例、図２３はメニューバーを構成する「ツール」の一部である「インターネットオプション」コマンドボタンをクリックした後に表示されるダイアログボックスの拡大表示例、図２４はツールバーを構成する「戻る」コマンドボタンの拡大表示例、図２５はタイトルバーの右端に表示されている「最小化」ボタンの拡大表示例、図２６は下方スクロールボタンの拡大表示例である。これらの拡大表示は、カーソルが対応する既定値の文字サイズで表示されたメニューやボタン等上に移動されただけでなされても、その後にマウスの左ボタンがクリックされた後になされてもいずれでも良い。
【００７９】
また、図２７〜図３５は、図４に示すウエッブページを、基本拡大倍率が「１０倍」、「要約方法」が「すべての見出しと各段落の最初の３文」、「拡大方法」が「すべての見出しとカーソル位置の段落の文」、「表示形式」が「見出し：背景色　黒、文字色　黄色　文章：背景色　黒、文字色　黄色」であるとして表示部６に表示する例を示している。図３６〜図３９は、図２７〜図３５に示すウエッブページの表示例において、ユーザがカーソルを２番目の段落に移動させた場合の表示例を示している。図４０〜図４２は、図４に示すウエッブページを、基本拡大倍率が「１４倍」、「要約方法」が「すべての見出しと各段落の最初の３文」、「拡大方法」が「カーソル位置の見出しと段落の文、その次の段落の見出し」、「表示形式」が「見出し：背景色　黒、文字色　黄色　文章：背景色　黒、文字色　黄色」であるとして表示部６に表示する例を示している。
【００８０】
このように、この例の構成によれば、本文の背景色や文字色の変更、メニューやダイヤログボックス、ボタンの拡大表示も設定可能に構成されているとともに、ウエッブページ本文の拡大表示等をユーザの操作に応じて動的に変更されるので、弱視者や高齢者その他の視力が弱い者は、上記した第１の実施例の場合に比べて、より一層簡単な操作で、目の負担を軽減できしかもウエッブページの情報から重要な部分や興味のある部分を効率的に見つけ出してその内容を十分把握することができる。
【００８１】
Ｃ．第３の実施例
次に、この発明の第３の実施例について説明する。
図４３は、この発明の第３の実施例であるネットワークシステムの構成を示すブロック図である。図４３において、図２の各部に対応する部分には同一の符号を付け、その説明を省略する。図４３に示すネットワークシステムにおいては、図２に示すパソコン１１〜１ｎに換えて、パソコン１１１〜１１ｎが新たに設けられている。
図４４は、パソコン１１１〜１１ｎの構成を示すブロック図である。図４４において、図３の各部に対応する部分には同一の符号を付け、その説明を省略する。図４４に示すパソコン１１１〜１１ｎにおいては、カメラ１２が新たに設けられている。カメラ１２は、例えば、表示部６の上部にユーザに向かって取り付けられ、ユーザの顔、特に、目を撮影する。そして、カメラ１２による撮影結果は、表示部６とユーザの目との距離、ユーザの目の近傍の明るさ、ユーザの目の単位時間当たりの瞬きの回数等を測定するために用いられる。
【００８２】
次に、上記構成のネットワークシステムの動作について説明する。前提として、ユーザはパソコン１１１を所有し、関東経済新聞社が管理するサーバはサーバ２１であるとする。この第３の実施例において、ウエッブページの静的又は動的な拡大表示については、上記した第１の実施例の場合（図１参照）又は第２の実施例の場合（図１４及び図１５参照）と同様である。しかし、上記した第１及び第２の実施例ではユーザが「基本拡大倍率」や「要約方法」、「拡大方法」を個別に設定しているのに対し、この第３の実施例においては、上記「基本拡大倍率」等をユーザごとに自動的に設定することを特徴としている。
【００８３】
ウインドウズ等のＯＳでは、最近、１台のパソコンを複数のユーザで使用する際に、各ユーザごとにデスクトップ画面等をカスタマイズすることにより、より使い勝手を良くする工夫がなされている。そこで、この例においては、各ユーザごとにブラウザをカスタマイズするものとし、その際にユーザの生年月日や視力等の個人情報を入力することにより、上記「基本拡大倍率」等をユーザごとに自動的に設定するのである。以下、この自動設定について、図４５に示すフローチャートを参照して説明する。ブラウザがパソコン１１１にインストールされた後初めて起動された場合又は、パソコン１１１にプリインストールされたブラウザが初めて起動された場合には、パソコン１１１の制御部４は、図４５に示すステップＳＢ１の処理へ進み、ユーザ名の入力を促す表示画面を表示部６に表示し、ユーザがユーザ名として、例えば、「せつ」等自己の名前やニックネームを入力すると、ステップＳＢ２へ進む。ステップＳＢ２では、パソコン１１１の制御部４は、当該ユーザ名に対応したパスワードの入力を促す表示画面を表示部６に表示し、ユーザがパスワードとして、例えば、「ｔｋｄ００５」等の数桁の英数字等を入力すると、ステップＳＢ３へ進む。
【００８４】
ステップＳＢ３では、パソコン１１１の制御部４は、生年月日、性別、矯正視力、医師等の診断による症状（医学的診断による症状）等の入力を促す表示画面を表示部６に表示し、ユーザが生年月日として、例えば、「１９２５年１月２３日」、性別として、例えば、「女性」、矯正視力として、例えば、「０．２」、医師の診断による症状として、例えば、「白内障」等を入力すると、ステップＳＢ４へ進む。ステップＳＢ４では、パソコン１１１の制御部４は、ステップＳＢ３の処理で入力された生年月日等に基づいて、ウエッブページの「要約方法」、「拡大方法」、「コントロール」及び「表示形式」について設定した後、一連の処理を終了する。ここで、図４６に「馬場太郎」家という一家がパソコン１１１を所有していると想定した場合の自動設定結果の一例を示す。「馬場太郎」家は、太郎（５５歳）が老眼、妻彰子（５２歳）が中程度の弱視、太郎の母せつ（７７歳）が老眼で白内障、長男義男（ユーザ名「ヨッシー」）（１３歳）が軽度の弱視、長女照美（ユーザ名「テルテル」）（１７歳）が近視であると仮定している。図４６に示す自動設定結果は、上記処理終了後、図４４に示す記憶部５の所定の記憶領域に記憶される。
これにより、各ユーザは、ブラウザの起動時に自己が設定したユーザ名とパスワードを入力することにより、自動設定された「要約方法」等によりウエッブページが表示されるので、簡単な操作で、目の負担を軽減できしかも老眼鏡等を用いることなく、ウエッブページを閲覧することができる。
【００８５】
また、ユーザは、ネットサーフィンなどウエッブページを閲覧している際には、目が疲れているにもかかわらずそれに気づかずにウエッブページの閲覧を続ける場合がある。そこで、この第３の実施例においては、カメラによりユーザの様子を観察するなどして自覚症状のないユーザに警告を発することにより、ユーザの目の疲れを未然に防止することを特徴としている。以下、この各種警告について、図４７に示すフローチャートを参照して説明する。タイマ割込が発生すると、パソコン１１１の制御部４は、図４７に示すステップＳＣ１の処理へ進み、ブラウザが起動されてから所定時間経過したか否かを判断する。この判断結果が「ＮＯ」の場合には、パソコン１１１の制御部４は、何もせず、ステップＳＣ３へ進む。一方、ステップＳＣ１の判断結果が「ＹＥＳ」の場合、すなわち、ブラウザが起動されてから所定時間経過した場合には、パソコン１１１の制御部４は、ステップＳＣ２へ進む。この所定時間は、矯正視力が正常範囲内にある者の場合には、１時間程度が好ましいが、弱視者や高齢者その他の視力の弱い者の場合にはより目が疲れやすいので、５０分、４０分、あるいは３０分に予め設定しておく必要がある。この設定も上記したユーザごとの「要約方法」等の自動設定の際に行っておくことが好ましい。また、上記警告の際に、ウエッブページの表示を一時中断する、例えば、表示部６に表示せず、全面に黒を表示しても良い。
【００８６】
ステップＳＣ２では、パソコン１１１の制御部４は、表示部６に、例えば、「××分が経過しています。目を休めましょう。」と表示したり、スピーカより同様な内容の音声を出力したりして警告を発した後、ステップＳＣ３へ進む。ステップＳＣ３では、パソコン１１１の制御部４は、カメラ１２の撮影結果よりユーザの単位時間当たりの瞬きの回数が所定回数以上となったか否かを判断する。この判断結果が「ＮＯ」の場合には、パソコン１１１の制御部４は、何もせず、ステップＳＣ５へ進む。一方、ステップＳＣ３の判断結果が「ＹＥＳ」の場合、すなわち、ユーザの単位時間当たりの瞬きの回数が所定回数以上となった場合には、パソコン１１１の制御部４は、ステップＳＣ４へ進む。ステップＳＣ４では、パソコン１１１の制御部４は、表示部６に、例えば、「瞬きの回数が減っています。このままではドライアイとなりますので、瞬きをしたり、目薬を差して下さい。」と表示したり、スピーカより同様な内容の音声を出力したりして警告を発した後、ステップＳＣ５へ進む。ドライアイとなるのは、視力や目の疾患の罹患状態とは関係ないので、一律に（例えば、１分間に３回程度）設定しておく。また、上記したステップＳＣ２又はＳＣ４における上記警告の際に、ウエッブページの表示を一時中断する、例えば、表示部６に表示せず、全面に黒を表示しても良いし、必要に応じて上記基本拡大倍率を変更しても良い。
【００８７】
ステップＳＣ５では、パソコン１１１の制御部４は、カメラ１２の撮影結果よりユーザの目の近傍の明るさが所定値以下となったか否かを判断する。この判断結果が「ＮＯ」の場合には、パソコン１１１の制御部４は、何もせず、ステップＳＣ７へ進む。一方、ステップＳＣ５の判断結果が「ＹＥＳ」の場合、すなわち、ユーザの目の近傍の明るさが所定値以下となった場合には、パソコン１１１の制御部４は、ステップＳＣ６へ進む。ステップＳＣ６では、パソコン１１１の制御部４は、表示部６に、例えば、「周囲が暗すぎます。明かりを付けましょう。」と表示したり、スピーカより同様な内容の音声を出力したりして警告を発した後、ステップＳＣ７へ進む。これは、適度な明るさがなければ目を凝視しすぎて疲れてしまうので、昼間照明を付けずにパソコン１１１を操作していたが、夕方になり周囲が暗くなったり、もともと暗い部屋で照明を付けずにパソコン１１１を操作していた場合などに警告を発して目の疲れを防止することを想定している。また、上記警告の際に、ウエッブページの表示を一時中断する、例えば、表示部６に表示せず、全面に黒を表示しても良いし、必要に応じて上記基本拡大倍率を変更しても良い。ステップＳＣ７では、パソコン１１１の制御部４は、カメラ１２の撮影結果より表示部６の表示画面とユーザの目との距離が変化したか否かを判断する。この判断結果が「ＮＯ」の場合には、パソコン１１１の制御部４は、何もせず、一連の処理を終了する。一方、ステップＳＣ７の判断結果が「ＹＥＳ」の場合、すなわち、表示部６の表示画面とユーザの目との距離が所定値以下である場合には、ステップＳＣ８へ進む。ステップＳＣ８では、パソコン１１１の制御部４は、表示部６に、例えば、「画面と目が近すぎます。姿勢を正しましょう。」と表示したり、スピーカより同様な内容の音声を出力したりして警告を発し、必要に応じて上記基本拡大倍率を変更した後、一連の処理を終了する。このような処理をするのは、当初表示部６の表示画面とユーザの目とが適正な距離（例えば、３０〜４０ｃｍ）であっても、ウエッブページの閲覧を継続することにより目が疲れて視力が低下すると、ユーザは無意識に目を画面に近づけて画面を目視するからである。この場合、上記基本拡大倍率を自動的に変更することにより、ユーザは無意識のうちに姿勢を正して表示画面とユーザの目とを適正な距離に戻すことが考えられる。また、上記警告の際に、ウエッブページの表示を一時中断する、例えば、表示部６に表示せず、全面に黒を表示しても良い。
【００８８】
このように、この例の構成によれば、ブラウザをユーザごとにカスタマイズする際に「要約方法」等が自動設定されるので、上記した第１及び第２の実施例に比べてより一層簡単な操作で簡単な操作で、目の負担を軽減できしかも老眼鏡等を用いることなく、ウエッブページを閲覧することができる。この場合、一旦自動設定された「要約方法」等の各項目をユーザが随時変更可能であることは言うまでもない。また、この例の構成によれば、カメラによりユーザの様子を観察するなどして自覚症状のないユーザに警告を発しているので、ユーザの目の疲れを未然に防止することができる。
【００８９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述の各実施例において説明した処理は、ほとんどブラウザが行う例を示したが、これに限定されず、これらの処理は、基本的な処理を行うブラウザにオプションとして付加されているとしても、別個独立したソフトウェア（要約エンジンや拡大エンジン）により構成され、このソフトウェアがブラウザの起動と連動して起動されるとしても良い。また、例えば、ウエッブページを表示部６に表示する処理については、ＯＳが行うとしても良い。
さらに、これらの処理は、ワードプロセッサ等の他のソフトウェアが電子文書を表示する際に行うとしても良い。この場合、書式設定等の機能を用い、元の電子文書を構成する各文章に上記した「見出し」や「段落」等と同等のものを設定しておき、ユーザ又は当該ソフトウェアのいずれか一方又は両方が、表示部に表示されている電子文書を「見出し」及び「段落」等として識別する手段が設けられていることを前提とする。このような構成によれば、他人がワードプロセッサ等の他のソフトウェアを用いて作成した電子文書をパソコンで表示して読む場合に短時間でその電子文書の要旨を把握することでできるとともに、弱視者等でも目の疲れを軽減することができる。
【００９０】
また、上述の第１及び第２の実施例においては、全文表示マークや要約変更マークがクリックされて初めてウエッブページの全文を表示したり、要約方法を変更する例を示したが、これに限定されず、全文表示マークや要約変更マークを表示することなく、該当するエリアをクリックするだけでウエッブページの全文を表示したり、要約方法を変更するように構成しても良い。
また、上述の各実施例においては、「要約方法」と「拡大方法」とは連動しない例を示したが、これに限定されず、「基本拡大倍率」が変更されるに応じて要約後のウエッブページの文字数を変更させても良い。つまり、「基本拡大倍率」が大きくなればなるほど表示画面に表示する文字数を少なくする（要約率の上昇）のである。
【００９１】
また、上述の各実施例においては、表示対象の電子文書から「見出し」や段落の一部を拡大表示するまでの処理を行っているが、これに限定されない。例えば、これら拡大表示後にユーザがさらにその内容を詳しく知りたい場合には、以下に示す処理を行っても良い。ユーザが拡大表示された内容から、自分の興味ある又は重要と判断する内容を見つけた場合には、その段落の拡大表示された後に続く内容を、拡大表示の設定を適用してさらに拡大表示していく（例えば、段落の４文ずつ）。拡大表示される部分は、カーソル位置が移動するにつれて移動範囲が過ぎれば動的に元の文字サイズ等の表示に変化させる。また、拡大倍率や拡大範囲は任意に設定／変更可能とする。これにより、単にカーソルの近傍を虫眼鏡的に拡大表示する方法では得られない、拡大しつつも、設定された領域の表示を動的に維持することにより、見やすさを実現するとともに、内容の把握も十分に行うことができる。
また、上述の各実施例においては、拡大された部分のみを表示部に表示する例を示したが、これに限定されず、拡大表示された部分とウエッブページ全体との相関関係が把握できるような表示を行っても良い。例えば、ウエッブページ全体の縮小表示を、拡大表示された部分の近傍に並べて又は上部に重ねて表示し、ウエッブページ全体において拡大表示された部分がどこに位置するかをハイライト表示などしても良い。この場合、拡大表示される範囲が動的に変化するのに連動してハイライト表示等の部分が移動していくようにする。
【００９２】
また、上述の各実施例においては、「要約方法」は、ウエッブページから見出しや各段落ごとに複数の文を抽出する例を示したが、これに限定されず、いくつかのレベルを設定し、各レベルごとに要約方法を変更するように構成しても良い。例えば、大まかな概要程度の要約、中程度の要約、比較的原文に近い要約や、文字数を３０字以内とする要約、文字数を１００字以内とする要約、文字数を３００字以内とする要約などである。
また、上述の各実施例においては、この発明をパソコンに適用する例を示したが、これに限定されず、この発明は、携帯用電子機器に適用しても良い。ここで、携帯用電子機器とは、ノート型、パーム型、ポケット型等のコンピュータ、携帯情報端末（ＰＤＡ：Ｐｅｒｓｏｎａｌ　Ｄｉｇｉｔａｌ　Ａｓｓｉｓｔａｎｔｓ）、あるいは携帯電話、簡易型携帯電話（ＰＨＳ：Ｐｅｒｓｏｎａｌ　Ｈａｎｄｙ−ｐｈｏｎｅ　Ｓｙｓｔｅｍ）など、バッテリや乾電池等によって電力を供給される電子機器をいう。このように構成すれば、小さい表示画面を有する携帯用電子機器であってもウエッブページその他の電子文書の要旨を的確に把握することができる。
【００９３】
【発明の効果】
以上説明したように、この発明の構成によれば、見出しと複数の文とからなる段落を有する電子文書を設定された倍率により拡大する拡大処理と、設定された要約方法により電子文書から一部の見出しや一部の段落、あるいは各段落を構成する一部の文を除去することにより電子文書を要約する要約処理と、拡大処理及び要約処理がなされた電子文書を表示する表示処理とを有しているので、弱視者や高齢者その他の視力が弱い者であっても、簡単な操作で、目の負担を軽減できしかも電子文書の情報から重要な部分や興味のある部分を効率的に見つけ出してその内容を十分把握することができる。
【図面の簡単な説明】
【図１】この発明の第１の実施例であるウエッブページの表示方法を説明するためのフローチャートである。
【図２】同実施例であるネットワークシステムの構成を示すブロック図である。
【図３】同システムを構成するパソコンの構成を示すブロック図である。
【図４】表示対象のウエッブページの一部を簡略化したものを示す図である。
【図５】ユーザにより設定可能な「基本拡大倍率」、「見出しの表示方法」、「要約包方法」及び「拡大方法」の具体例を示す図である。
【図６】ユーザにより設定された各「基本拡大倍率」ごとの「見出しの表示方法」、「要約方法」及び「拡大方法」の具体例を示す図である。
【図７】同システムの動作によりその一部が要約及び拡大表示されたウエッブページの例を示す図である。
【図８】同システムの動作によりその一部が要約及び拡大表示されたウエッブページの例を示す図である。
【図９】同システムの動作によりその一部が要約及び拡大表示されたウエッブページの例を示す図である。
【図１０】同システムの動作によりその一部が要約及び拡大表示されたウエッブページの例を示す図である。
【図１１】同システムの動作によりその一部が要約及び拡大表示されたウエッブページの例を示す図である。
【図１２】この発明の第２の実施例であるネットワークシステムにおいてユーザにより設定可能な「基本拡大倍率」、「要約方法」、「拡大方法」、「コントロール」及び「表示形式」の具体例を示す図である。
【図１３】同システムにおいて初期設定されている各「基本拡大倍率」ごとの「要約方法」、「拡大方法」、「コントロール」及び「表示形式」の具体例を示す図である。
【図１４】この発明の第２の実施例であるウエッブページの表示方法を説明するためのフローチャートである。
【図１５】この発明の第２の実施例であるウエッブページの表示方法を説明するためのフローチャートである。
【図１６】同システムの動作によりその一部が要約及び拡大表示されたウエッブページの例を示す図である。
【図１７】同システムの動作によりその一部が要約及び拡大表示されたウエッブページの例を示す図である。
【図１８】同システムの動作によりその一部が要約及び拡大表示されたウエッブページの例を示す図である。
【図１９】同システムの動作によりその一部が要約及び拡大表示されたウエッブページの例を示す図である。
【図２０】同システムの動作によりその一部が要約及び拡大表示されたウエッブページの例を示す図である。
【図２１】メニューバーを構成する「ファイル」ボタンの拡大表示例を示す図である。
【図２２】メニューバーを構成する「編集」の一部である「このページの検索」コマンドボタンの拡大表示例を示す図である。
【図２３】メニューバーを構成する「ツール」の一部である「インターネットオプション」コマンドボタンをクリックした後に表示されるダイアログボックスの拡大表示例を示す図である。
【図２４】ツールバーを構成する「戻る」コマンドボタンの拡大表示例を示す図である。
【図２５】タイトルバーの右端に表示されている「最小化」ボタンの拡大表示例を示す図である。
【図２６】下方スクロールボタンの拡大表示例である。
【図２７】同システムの動作によりその一部が要約及び拡大表示されたウエッブページの例を示す図である。
【図２８】同システムの動作によりその一部が要約及び拡大表示されたウエッブページの例を示す図である。
【図２９】同システムの動作によりその一部が要約及び拡大表示されたウエッブページの例を示す図である。
【図３０】同システムの動作によりその一部が要約及び拡大表示されたウエッブページの例を示す図である。
【図３１】同システムの動作によりその一部が要約及び拡大表示されたウエッブページの例を示す図である。
【図３２】同システムの動作によりその一部が要約及び拡大表示されたウエッブページの例を示す図である。
【図３３】同システムの動作によりその一部が要約及び拡大表示されたウエッブページの例を示す図である。
【図３４】同システムの動作によりその一部が要約及び拡大表示されたウエッブページの例を示す図である。
【図３５】同システムの動作によりその一部が要約及び拡大表示されたウエッブページの例を示す図である。
【図３６】同システムの動作によりその一部が要約及び拡大表示されたウエッブページの例を示す図である。
【図３７】同システムの動作によりその一部が要約及び拡大表示されたウエッブページの例を示す図である。
【図３８】同システムの動作によりその一部が要約及び拡大表示されたウエッブページの例を示す図である。
【図３９】同システムの動作によりその一部が要約及び拡大表示されたウエッブページの例を示す図である。
【図４０】同システムの動作によりその一部が要約及び拡大表示されたウエッブページの例を示す図である。
【図４１】同システムの動作によりその一部が要約及び拡大表示されたウエッブページの例を示す図である。
【図４２】同システムの動作によりその一部が要約及び拡大表示されたウエッブページの例を示す図である。
【図４３】この発明の第３の実施例であるネットワークシステムの構成を示すブロック図である。
【図４４】同システムを構成するパソコンの構成を示すブロック図である。
【図４５】この発明の第３の実施例であるウエッブページの表示方法を説明するためのフローチャートである。
【図４６】同システムにおいて自動設定された各ユーザごとの「基本拡大倍率」、「要約方法」、「拡大方法」、「コントロール」及び「表示形式」の具体例を示す図である。
【図４７】この発明の第３の実施例であるウエッブページの表示方法を説明するためのフローチャートである。
【符号の説明】
１１〜１ｎ，１１１〜１１ｎ　パソコン
２１〜２ｍ　サーバ
３　　　　ネットワーク
４　　　　制御部
５　　　　記憶部
６　　　　表示部
７　　　　操作部
８　　　　通信部
１２　　　カメラ
【図１】
2004102553.tif 000003
【図２】
2004102553.tif 000004
【図３】
2004102553.tif 000005
【図４】
2004102553.tif 000006
【図５】
2004102553.tif 000007
【図６】
2004102553.tif 000008
【図７】
2004102553.tif 000009
【図８】
2004102553.tif 000010
【図９】
2004102553.tif 000011
【図１０】
2004102553.tif 000012
【図１１】
2004102553.tif 000013
【図１２】
2004102553.tif 000014
【図１３】
2004102553.tif 000015
【図１４】
2004102553.tif 000016
【図１５】
2004102553.tif 000017
【図１６】
2004102553.tif 000018
【図１７】
2004102553.tif 000019
【図１８】
2004102553.tif 000020
【図１９】
2004102553.tif 000021
【図２０】
2004102553.tif 000022
【図２１】
2004102553.tif 000023
【図２２】
2004102553.tif 000024
【図２３】
2004102553.tif 000025
【図２４】
2004102553.tif 000026
【図２５】
2004102553.tif 000027
【図２６】
2004102553.tif 000028
【図２７】
2004102553.tif 000029
【図２８】
2004102553.tif 000030
【図２９】
2004102553.tif 000031
【図３０】
2004102553.tif 000032
【図３１】
2004102553.tif 000033
【図３２】
2004102553.tif 000034
【図３３】
2004102553.tif 000035
【図３４】
2004102553.tif 000036
【図３５】
2004102553.tif 000037
【図３６】
2004102553.tif 000038
【図３７】
2004102553.tif 000039
【図３８】
2004102553.tif 000040
【図３９】
2004102553.tif 000041
【図４０】
2004102553.tif 000042
【図４１】
2004102553.tif 000043
【図４２】
2004102553.tif 000044
【図４３】
2004102553.tif 000045
【図４４】
2004102553.tif 000046
【図４５】
2004102553.tif 000047
【図４６】
2004102553.tif 000048
【図４７】
2004102553.tif 000049
【手続補正書】
【提出日】平成14年9月30日(2002.9.30)
【手続補正１】
【補正対象書類名】明細書
【補正対象項目名】０００３
【補正方法】変更
【補正の内容】
【０００３】
一般に、ウエッブページは、表示する文章とその構成（ページタイトル、段落、見出し等の表示位置、文字の大きさ等）を示したＨＴＭＬ（ＨｙｐｅｒＴｅｘｔ　ＭａｒｋｕｐＬａｎｇｕａｇｅ）やＳＧＭＬ（Ｓｔａｎｄａｒｄ　Ｇｅｎｅｒａｌｉｚｅｄ　Ｍａｒｋｕｐ　Ｌａｎｇｕａｇｅ）等のマークアップ言語（ｍａｒｋｕｐ　ｌａｎｇｕａｇｅ）で作成されている。ブラウザは、このようなウエッブページを読み込んだ際に、そのマークアップ言語を解析し、ページタイトルや段落、見出し等の表示位置、文字の大きさを決定し、ウエッブページを表示部に表示している。
また、ユーザが起動中のブラウザに対して文字の基本拡大倍率（例えば、最大、大、中、小、最小のいずれか）の変更を指示した場合には、ブラウザは、変更指示された基本拡大倍率に応じてウエッブページの文字サイズを変更して表示部に表示する。ここで、基本拡大倍率とは、ウエッブページを構成する本文の既定の文字サイズに対する拡大の割合を意味している。
一方、ウィンドウズ（登録商標）等のオペレーションシステム（ＯＳ）においても、デスクトップ表示画面における各アイコンやツールバー、タスクバー内のボタンを拡大表示する機能の他、体に障害を持つユーザがＯＳをより簡単に使用するためのユーザ補助機能が設けられている。このユーザ補助機能の中には、表示部の表示画面を上下に２分割し、下側に各アプリケーション・ソフトウェアの既定の文字サイズの内容を表示するとともに、上側に対応するアプリケーション・ソフトウェアのほぼ一行分の内容をユーザにより指定された倍率で拡大して表示する「拡大鏡」と呼ばれるツールがある。
さらに、ユーザの設定に応じて、ＯＳのデスクトップ画面の表示内容を、全面的又は部分的に拡大表示したり、背景色や文字色を変更して拡大表示したり、メニューやダイアログボックスの操作時やアプリケーション・ソフトウェアごとに拡大倍率を設定する拡大表示ソフトウェアが開発されている。この種のソフトウェアとしては、Ａｉ　Ｓｑｕａｒｅｄ社のＺｏｏｍＴｅｘｔ　Ｘｔｒａ　Ｌｅｖｅｌ１（登録商標）や、Ｄｏｌｐｈｉｎ　Ｃｏｍｐｕｔｅｒ　Ａｃｃｅｓｓ　Ｌｉｍｉｔｅｄ．社のＬｕｎａｒ　ｆｏｒ　Ｗｉｎｄｏｗｓ　９５／９８／Ｍｅ（登録商標）等がある。


【手続補正２】
【補正対象書類名】明細書
【補正対象項目名】０００４
【補正方法】変更
【補正の内容】
【０００４】
なお、通常労力の範囲内で先行技術調査を実施した限りでは、上述した従来技術の内容が具体的に記載された文献に関する情報を得られなかった。